(57)【要約】本発明はペット（２）に対して立ち入り禁止区域（１２）を設けるための装置（１）であって、ペットが前記立ち入り禁止区域に近づくことを検知する手段（３、１０）と、前記ペットに対して前記立ち入り禁止区域（１２）に近づいていることを示す少なくとも１つの刺激（６、７）を放出する手段（５）とから成る。前記検知手段（３、１０）は前記ペット（２）が装着する第１の送受信機（３）と、前記立ち入り禁止区域（１２）の近くに配置される第２の送受信機（１０）とを含み、少なくとも１つの刺激（６、７）を放出する少なくとも１つの手段（５）が前記立ち入り禁止区域（１２）の近くに配置され、前記第２の送受信機（１０）は前記刺激（６、７）を放出する前記手段（５）に取り付けられ、前記刺激（６、７）の前記放出は前記ペット（２）が装着する前記第１の送受信機（３）によって制御され、前記第２の送受信機（１０）によって起動される。【選択図】１
2012531194.tif 000002
【特許請求の範囲】
【請求項１】
ペット（２）に対して立ち入り禁止区域（１２）を設けるための装置（１）であって、ペットが前記立ち入り禁止区域に近づくことを検知する手段（３、１０）と、前記ペットに対して前記立ち入り禁止区域（１２）に近づいていることを示す少なくとも１つの刺激（６、７）を放出する手段（５）とから成り、
前記検知手段（３、１０）は前記ペット（２）が装着する第１の送受信機（３）と、前記立ち入り禁止区域（１２）の近くに配置される第２の送受信機（１０）とを含み、
少なくとも１つの刺激（６、７）を放出する少なくとも１つの手段（５）が前記立ち入り禁止区域（１２）の近くに配置され、前記第２の送受信機（１０）は前記刺激（６、７）を放出する前記手段（５）に取り付けられ、前記刺激（６、７）の前記放出は前記ペット（２）が装着する前記第１の送受信機（３）によって制御され、前記第２の送受信機（１０）によって起動されることを特徴とする装置。
【請求項２】
前記第１の送受信機（３）は受信機であることを特徴とする、請求項１に記載の装置。
【請求項３】
前記第２の送受信機（１０）は信号を送信することができ、前記ペット（２）が装着する前記第１の送受信機（３）が前記信号を受信する場合に、前記信号は前記第１の送受信機（３）を起動し、前記刺激（６、７）の前記放出を制御できることを特徴とする、請求項１および２に記載の装置。
【請求項４】
前記刺激が別の刺激（６）に関連する音（７）の前記放出を少なくとも含むことを特徴とする、前記請求項の１つに記載の装置。
【請求項５】
前記刺激は音（７）および場合により芳香性不活性ガス（６）の前記放出を含むことを特徴とする、請求項４に記載の装置。
【請求項６】
前記ペット（２）が備える前記第１の送受信機（３）は、同一か否かを問わず、前記刺激（６、７）を放出する複数の手段（５）を制御することを特徴とする、前記請求項の１つに記載の装置。
【請求項７】
前記刺激（６、７）を放出するための１つの手段（５）は様々なペット（２）が装着する複数の送受信機（３）によって制御できることを特徴とする、前記請求項の１つに記載の装置。
【請求項８】
前記同一の放出手段（５）が放出する刺激（６、７）は、前記立ち入り禁止区域（１２）に近づく前記ペット（２）が装着する前記送受信機（３）によって変化することを特徴とする、請求項７に記載の装置。
【請求項９】
ペットに対して立ち入り禁止区域（１２）を設けるための装置を実装する方法であって、前記請求項の１つに記載の、ペットが前記立ち入り禁止区域に近づくことを検知する手段（３、１０）と、前記ペットに対して前記立ち入り禁止区域（１２）に近づいていることを示す少なくとも１つの刺激（６、７）を放出する手段（５）とから成り、
前記方法が少なくとも、
ａ）第１の送受信機（３）を前記ペット（２）に配置するステップと、
ｂ）第２の送受信機（１０）を前記立ち入り禁止区域（１２）の近くに配置して、前記ペットが前記立ち入り禁止区域に近づくときに、前記第１の送受信機（３）を起動するように前記第２の送受信機（１０）を適合するステップと、
ｃ）前記立ち入り禁止区域（１２）の近くに少なくとも１つの刺激を放出するための１つの手段（５）を配置し、前記ペットが前記立ち入り禁止区域に近づき、前記第１の送受信機が前記第２の送受信機によって起動されるときに、前記第１の送受信機（３）によって制御されるように前記手段（５）を適合するステップと、
を含むことを特徴とする方法。
【発明の詳細な説明】
【技術分野】
【０００１】
本発明はペットに対して立ち入り禁止区域を設けるための装置に関する。
【０００２】
ペットとは犬、猫、フェレットなどの家庭用ペット、または馬、牛、羊などの家畜もしくは繁殖用動物のいずれかを意味する。
【０００３】
区域とは一時的または恒久的にペットに対して立ち入り禁止とする場所を意味する。このような場所は、たとえばフェンスなどの物体、またはたとえば花壇などの植物で画定される表面に相当することもある。立ち入り禁止区域は、たとえばベッド、椅子、日用雑貨などの家具または物体であってもよい。立ち入り禁止区域は物体で画定されなくてもよく、たとえば出入り道路であってもよい。
【背景技術】
【０００４】
立ち入り禁止区域にペットが進入することを防ぐために、特許文献１が開示するような抑止スプレーに存在検知器を備える装置が既知である。このような抑止スプレーは立ち入り禁止区域の近くに配置される。存在検知器はペットが近づくと、ジェットまたはスプレーの放出を始動させる。スプレーはペットに対して同区域が立ち入り禁止であることを示す刺激である。このような装置はある区域から別の区域に容易に移動できるが、区域に進入することが許可されているペットと、禁止されているペットとを区別することはできない。
【０００５】
特許文献２から、使用者が抑止スプレーを携帯する装置も既知である。ペットが立ち入り禁止区域に近づくと、使用者はスプレーの放出を始動させ、刺激によってペットに同区域が立ち入り禁止であることを示す。このような装置は、ペットが立ち入り禁止区域に近づくときに使用者が同区域の近くにいることが必要となり、手動でのみ始動させることができる。
【０００６】
特許文献３から、立ち入り禁止区域の近くに境界標を配置する装置も既知である。ペットは刺激、すなわち電気ショックを放出する手段および境界標と通信する手段を装着する。ペットが境界標に近づくと、ペットの首輪は刺激を放出する指示を受信する。
【０００７】
特許文献４はペットが装着する装置を開示する。同装置は罰、より具体的には電気ショックを放出する手段を含む。制御ユニットは任意の区域の周囲に磁場を放出する。制御ユニットはペットが近づくことを検知し、罰を与える指示を出す。上記２つの装置は刺激を放出する手段をペットが装着することを暗示しており、小型のペットが装着するには難しい場合もある。
【先行技術文献】
【特許文献】
【０００８】
【特許文献１】国際公開００／７５０４６号
【特許文献２】国際公開２００４／０１４１２９号
【特許文献３】米国特許第５，８７２，５１６号
【特許文献４】米国特許第２００１／０４２５２２号
【発明の概要】
【発明が解決しようとする課題】
【０００９】
本発明はより具体的には、ペットに対して立ち入り禁止区域を設けるために簡単に実装できる装置を提供することによって、上記のような欠点を解決することを目的とする。本発明の装置はペットの大きさにかかわらずペットが装着することができ、移動可能であり、使用者の存在を必要としないものである。
【課題を解決するための手段】
【００１０】
このために、本発明はペットに対して立ち入り禁止区域を設けるための装置を提供することを目的とする。本装置はペットが立ち入り禁止区域に近づくことを検知する手段と、ペットに対して立ち入り禁止区域に近づいていることを示す少なくとも１つの刺激を放出する手段とから成る。検知手段はペットが装着する第１の送受信機と、立ち入り禁止区域の近くに配置される第２の送受信機とを含むことを特徴とし、少なくとも１つの刺激を放出する少なくとも１つの手段が立ち入り禁止区域の近くに配置され、第２の送受信機は刺激を放出する手段に取り付けられ、刺激の放出はペットが装着する第１の送受信機によって制御され、第２の送受信機によって起動されることを特徴とする。
【００１１】
ペット自身が刺激を始動させ、刺激の発生源は立ち入り禁止区域の近くに配置されるため、あるペットに同区域への立ち入りを許可し、別のペットには立ち入りを禁止することは容易である。さらに、送受信機は小型のペットでも装着できるように十分小型な寸法である。
【００１２】
本発明の有利ではあるが、強制的ではない側面によって、本装置は以下の１または複数の特徴を組み込むことができる。
−第１の送受信機は受信機である。
−第２の送受信機は信号を送信することができ、ペットが装着する第１の送受信機が信号を受信する場合に、信号は第１の送受信機を起動し、刺激の放出を制御できる。
−刺激は、別の刺激と関連付けられた音の刺激の放出を少なくとも含む。
−刺激は音および、場合により芳香性不活性ガスの放出を含む。
−ペットが装着する第１の送受信機は、同一か否かを問わず、複数の刺激放出手段を制御する。
−１つの刺激放出手段は様々なペットが装着する複数の送受信機によって制御できる。
−同一の放出手段から放出される刺激は、立ち入り禁止区域に近づくペットが装着する送受信機によって変化する。
【００１３】
本発明はペットに対して立ち入り禁止区域を設ける装置を実装する方法にも関する。本方法は上記請求項の１つに記載の、ペットが立ち入り禁止区域に近づくことを検知する手段と、ペットに対して立ち入り禁止区域に近づいていることを示す少なくとも１つの刺激を放出する手段とから成り、少なくとも、
ａ）第１の送受信機をペットに配置するステップと、
ｂ）第２の送受信機を立ち入り禁止区域の近くに配置して、ペットが立ち入り禁止区域に近づくときに、第１の送受信機を起動するように第２の送受信機を適合するステップと、
ｃ）立ち入り禁止区域の近くに少なくとも１つの刺激を放出するための１つの手段を配置し、ペットが立ち入り禁止区域に近づき、第１の送受信機が第２の送受信機によって起動されるときに、第１の送受信機によって制御されるように手段を適合するステップと、
を含むことを特徴とする。
【００１４】
下記の本発明による装置の説明を読むことによって、本発明をより良く理解することができ、本発明の別の利点もさらに明確になるであろう。下記の説明は単に一例としてのみ示すものであり、添付図を参照する。
【図面の簡単な説明】
【００１５】
【図１】図１は本発明による装置の概略図であり、ペットが送受信機を装着し、立ち入り禁止となる物体の近くに配置される刺激を放出する手段を備える。図１に示す装置１は、様々なペットに用いるように適合される。有利には、図示するように猫２に用いることを意図する。
【発明を実施するための形態】
【００１６】
本装置は無線識別または無線ＩＣタグ（ＲＦＩＤ）に用いるような無線周波数を送信することもできる。上記周波数はたとえば、１３．５６ｋＨｚ、１２５ｋＨｚ、１３ＭＨｚ、８６９ＭＨｚおよび９１５ＭＨｚである。
【００１７】
ＲＦＩＤタイプの装置の場合は、ペットの皮下に埋め込んだ識別マイクロチップであってもよい。ペットはこのようにして永続的な装置を備えつけられ、装置はペットを煩わせることはまったくない。
【００１８】
装置１は第１の送受信機３を含む。第１の送受信機３の寸法は十分に小さく、猫２が装着する首輪４またはハーネスに取り外し可能な方法または永続的な方法で取り付けることができる。このような送受信機３は軽量であり、有利に高周波、すなわち２．４ＧＨｚを送信する。代替案としては、用いる周波数は異なる。代替案として用いる周波数はたとえば低周波でもよい。
【００１９】
上記の送信周波数はＷｉＦｉ接続に用いられる周波数のため、ほとんどの国で使用可能である。
【００２０】
装置１は少なくとも１つの刺激を放出する手段５も含む。刺激は視覚、嗅覚、感覚、触覚または聴覚の刺激でよい。手段は立方体を有するパッケージ５である。代替案としては、手段の形状は異なる。
【００２１】
有利には、手段５は少なくとも１つの刺激を放出する。実際には、手段５は２つの刺激６および７を放出する。刺激の１つは不活性ガス、たとえば空気のジェットまたはスプレー６であり、たとえばシトロネラで香りをつけてもよい。悪臭ガスまたは芳香性ガスを用いることで、使用者は装置の操作を正しく制御することができる。第２の刺激７は音の刺激であり、すなわち少なくともペットが聞くことができる音の刺激である。音の刺激はしたがって超音波でもよい。
【００２２】
パッケージ５は図示しないガスタンクを含む。ガスタンクは複数回、有利には約６０回連続してジェット６を放出する十分な容積を持つ。約６０回の連続放出は、およそ１５ｍｌのタンクに相当する。このようなタンクの容量は２ｍｌから２４０ｍｌの範囲である。
【００２３】
スプレー６はパッケージ５の１つの表面に搭載されたノズル８から放出される。有利にはノズル８は指向性であってよい。
【００２４】
音７はパッケージ５に取り付けられた拡声器９から送信される。パッケージ５は図示しない電子メモリを含み、電子メモリは１または複数の音を保存する。音とは、ペットに既知もしくは未知である騒音、連続した騒音または音、超音波、音声、言葉または音楽を意味する。
【００２５】
装置１は図示しない電源を含み、拡声器９およびガスタンクに取り付けられた電磁弁に電力を供給する。電源は充電式または充電式ではない電池、および／または主電源と接続できるように変圧器から構成されてもよい。
【００２６】
装置１は有利には、図示しない本来周知のタイプの制御キーを含む。制御キーによって、刺激６および７の両方か、またはペット２が条件反射として２つの刺激を関連づけるときは、音７またはスプレー６のいずれかを選択することができる。ペット２が２つの刺激を関連づけるようになれば、両方の刺激を一緒に発信することはもはや不要である。
【００２７】
パッケージ５は取り付け部材、たとえば、粘着パッドを備えてもよく、水平または垂直な様々な種類の表面に保持できるようにしてもよい。代替案としては、屋外で用いる場合に、たとえば花壇の近くでパッケージ５を地面に固定した棒に搭載してもよい。代替案としては、パッケージ５は容易に移動できるようにキャスターを備えてもよい。
【００２８】
パッケージ５は送受信機１０を含む。図示しない１実施形態では、送受信機１０はパッケージ５から独立し、パッケージ５および立ち入り禁止区域１２、すなわちソファー１２の近くに配置される。刺激放出手段５および送受信機１０の接続はしたがって、有線または無線であってよい。
【００２９】
有利には、刺激放出手段であるパッケージ５上に配置される送受信機１０は、様々なペットが装着する複数の送受信機３を認識するように適合される。つまり、使用者が複数のペットを飼っている場合、ペットそれぞれに送受信機３を装着させ、ペットが立ち入り禁止区域１２に近づくとそれぞれの送受信機３が刺激６および／または７の放出を始動させる。代替案としては、複数のパッケージ５を複数の立ち入り禁止区域の近くに配置し、１または複数の任意のペットに対し、１または複数の立ち入り禁止区域を設けることができる。様々なペットごとに異なる区域を設けることもできる。
【００３０】
同様に、複数の送受信機１０を異なるパッケージ５に搭載し、ペット２が装着する同一の送受信機３を認識することもできる。つまり、１匹のペット２が複数の送受信機１０を始動させることができる。それに従い、複数の立ち入り禁止区域の近くに配置された対応するパッケージ５、または広い区域を画定する対応するパッケージ５を用いて、複数の刺激放出を制御できる。
【００３１】
ペット２が装着する送受信機３およびパッケージ５に取り付けられた送受信機１０は、それぞれ図示しない制御手段を備え、ペット２が立ち入り禁止区域１２に近づくときに、刺激６または７の始動距離を画定できる。実際にこの始動距離は、立ち入り禁止区域１２に近づくことと、刺激６、７の放出とをペット２が関連付けられるように十分短くなくてはならず、かつ刺激が効果的であるように、より具体的にはペットがスプレー６を浴びるように十分短くなくてはならない。有利には、この起動距離は数センチから２メートルの範囲である。
【００３２】
スプレー６の強度および／または継続期間は制御でき、音７の強度および／または継続期間は調節および／または調整できる。
【００３３】
刺激の順序は変化させることができる。すなわち、音７とスプレー６を両方とも放出する場合は、音７とスプレー６の交代に変化を付けることができる。
【００３４】
装置１は有利には観察モードにすることができ、または離れた場所からリモートコントロール、マイクロコンピュータ、インターネットもしくは携帯電話ネットワークで起動できる。
【００３５】
上記の場合には、ペットの所有者は送受信機３およびパッケージ５を除去せずに、装置を起動するかどうかを容易に選択できる。
【００３６】
装置１は有線手段によっても制御できる。
【００３７】
送受信機３は受信機である。すなわち送受信機３は観察モードであり、音は何も放出しない。
【００３８】
ペット２が立ち入り禁止区域１２に近づくとき、パッケージ５、ペット２が装着する送受信機３はこのようにパッケージ５の送受信機１０の範囲内にある。送受信機１０は送信機であり、任意の信号を連続してまたは定期的に送信する。信号が送受信機３からの既知の信号に対応すると、信号は受信され、送受信機３は起動する。
【００３９】
ペット２が装着する送受信機３は次に信号を返信する。この信号は次に送受信機１０によって、送受信機１０が取り付けられたパッケージ５からの刺激６、７の両方またはどちらか１つを発信する信号として認識される。次に、音７および／またはスプレー６がペット２に向かって放出される。
【００４０】
送信用送受信機１０によって受信用送受信機３の運用が起動されるため、受信用送受信機３を用いて節電することができる。ペットが装着する送受信機３はほとんどの時間は活動していないため、したがって送受信機３の電源を最小にできるからである。これにより、送受信機３の大きさと重量を縮小することができ、猫２またはフェレットなどの小型のペットが装着できるようになる。反対に、送受信機１０はほとんどの時間で起動しているため高容量の電源を備える。
【００４１】
装置１を用いることによって、室内の所定の区域をあるペットに対して立ち入り禁止とし、別のペットには同区域への立ち入りを許可することもできる。このためには、ある送受信機３の信号は送受信機１０によって認識されなければならず、送受信機１０は別の送受信機３からの信号によって認識されてはならない。このようにして第１の事例では、ペットは立ち入り禁止区域に近づいてはならないことを示す刺激を受けるが、第２の事例では、ペットは罰を受けずに同じ区域に近づくことができる。
【００４２】
代替案として、送受信機３を装着していないペットは刺激を始動させないものとし、したがって立ち入り禁止区域１２への進入を許可される。
【００４３】
上記の装置はこのようにペットを区別することが可能である。
【００４４】
刺激を始動させること、すなわちパッケージ５を起動することは、立ち入り禁止区域外のパラメータ、たとえば屋外の湿度測定によって制御することもできる。屋外で雨が降っているときに、室内の区域を立ち入り禁止とすることもできる。
【００４５】
立ち入り禁止区域の周囲に複数のパッケージ５および送受信機１０を設置し、送受信機から制御ユニットに情報を送信する場合は、三角測量によってペットの位置を把握することも可能である。
【符号の説明】
【００４６】
１      装置
２      ペット
３      送受信機
４      首輪
５      パッケージ
６      スプレー
７      刺激
８      ノズル
９      拡声器
１０    送受信機
１２    立ち入り禁止区域
【図１】
2012531194.tif 000003
【国際調査報告】
2012531194.tif 000004
2012531194.tif 000005
2012531194.tif 000006
2012531194.tif 000007